(57)【要約】【課題】自動車クーラーの冷房効果を向上させ、エネルギーの損耗を低下させられる他、自動車の使用寿命と馬力を延長させられるクーラーの循環洗浄装置を提供する。【解決手段】クーラーの循環洗浄装置は、気動式の循環洗浄装置を採用し、クーラーの循環洗浄装置１０のパイプライン上の任意の接合位置において、循環洗浄装置のパイプラインに転換して連接しさえすれば、上記した二つのシステムは、単一の循環システムとなり、こうしてクーラーの洗浄を簡単に完成し、洗浄効果を向上させることができる。【選択図】図１
0003170905.tif 000002
【実用新案登録請求の範囲】
【請求項１】
クーラーの循環洗浄装置は、洗浄装置中に、気動モーターを設置し、
前記モーター前端には、潤滑器を設置し、
前記潤滑器前端には、スイッチ、圧力調整バルブ、気泡を増加させる速度調整バルブ、逆流防止バルブをそれぞれ設置し、
前記モーターには、ポンプを設置し、フィルター、保存バケツを連接し、
前記ポンプの他端には、逆流防止バルブ、スイッチを設置し、クーラーの循環洗浄装置に通じ、洗浄の入り口端を形成し、
前記保存バケツもまた、少なくとも１個のろ過器、スイッチを連接し、クーラーの循環洗浄装置に通じ、洗浄の出口端を形成し、
前記ろ過器の他端には、スイッチを連接し回収バケツに通じ、
前記圧力調整バルブは、パイプラインにより、空圧機に連接し、気動モーターを駆動する動力源とし、
前記ポンプは、逆流防止バルブとスイッチとの間のパイプラインに連接し、さらにパイプラインを連通し、その上には圧力メーター、スイッチを設置し空圧機に通じて、気流による乾燥、圧力テストの検査端を形成することを特徴とするクーラーの循環洗浄装置。
【請求項２】
請求項１記載のクーラーの循環洗浄装置において、前記洗浄装置には、電動モーターを設置し、
前記モーター上には、ポンプを設置し、フィルター、保存バケツを連接し、
前記ポンプの他端には、逆流防止バルブ、スイッチを設置し、クーラーの循環洗浄装置に通じ、洗浄の入り口端を形成し、
前記逆流防止バルブとスイッチとの間は、パイプラインによりつなぎ、
前記パイプラインには、圧力メーター、スイッチを設置し、空圧機に連接して気泡発生、気流による乾燥、圧力テストの検査端を形成し、
前記圧力メーターを設置するパイプラインは、スイッチ前方に速度調整器を増設することができ、これにより気泡の大きさを調整でき、
前記保存バケツはまた、少なくとも１個のろ過器とスイッチに連接し、クーラーの循環洗浄装置に通じ、洗浄の出口端を形成し、
前記ろ過器の他端には、スイッチを連接し、回収バケツに通じることを特徴とするクーラーの循環洗浄装置。
【考案の詳細な説明】
【技術分野】
【０００１】
本考案はクーラーの循環洗浄装置に関し、特にクーラー循環システムの運転がスムーズであるかどうかは、自動車の機能と寿命に影響を及ぼすため、自動車のクーラー循環システムの洗浄は、現在解決が急がれている産業技術であり、自動車クーラーの冷房効果を向上させ、エネルギーの損耗を低下させられる他、自動車の使用寿命と馬力を延長させられるクーラーの循環洗浄装置に関する。
【背景技術】
【０００２】
現在市販されている自動車のクーラーの循環洗浄装置の多くは、液体洗浄剤による循環方式を採用している。クーラーシステム内で絶えず循環流動し、クーラーパイプライン内の雑物を洗浄後、クーラーパイプライン内に残留する洗浄液を外に出し、或いはエアガンで洗浄液を吹き、クーラーパイプライン内から外に出し、こうして洗浄効果を達成する。
【０００３】
しかし、現在の洗浄方式には、以下の欠点が存在する。
１．洗浄ツールの組み立てと操作が面倒である。
２．クーラー循環システム内からの洗浄液の完全排出は容易ではない。
３．洗浄液を完全に排出できなければ、冷媒の充填とその後の冷房効果に影響を及ぼす。
４．洗浄と乾燥という２種の違った洗浄機器を準備する必要があるため、空間を占拠するばかりか、コストも上がる。
【考案の概要】
【考案が解決しようとする課題】
【０００４】
本考案が解決しようとする課題は、自動車クーラーの冷房効果を向上させ、エネルギーの損耗を低下させられ、自動車の使用寿命と馬力を延長させられるクーラーの循環洗浄装置を提供することである。
【課題を解決するための手段】
【０００５】
上記課題を解決するため、本考案は下記のクーラーの循環洗浄装置を提供する。
クーラーの循環洗浄装置は、気動モーターにより液体洗浄薬剤を連動し、気流は、モーターに連動された後、循環システム中パイプラインの設計により、洗浄時には、気泡を発生させ、洗浄効果を向上させられ、
こうしてクーラーの循環システム内の液体洗浄薬剤、洗浄の残留物などは、完全に気流により吹き出され、
これにより、単一の循環洗浄装置により、クーラーの循環システムを清掃でき、設置が容易であるばかりか、洗浄効果が優れ、同時に、コストと時間を削減することができる。
【考案の効果】
【０００６】
本考案のクーラーの循環洗浄装置は、一台で多用途を備えるため、使用時には違った機種に交換する必要がなく、使用において便利で、クーラーの循環洗浄装置の洗浄後、残留している液体洗浄薬剤を簡単に排出できるため、機器を交換して掃除を行う必要がなく、クーラーの循環洗浄装置に漏れがないかどうかを直接検査することができる。
【図面の簡単な説明】
【０００７】
【図１】本考案第一実施例における洗浄プロセスのフローチャートである。
【図２】本考案第二実施例における洗浄プロセスのフローチャートである。
【考案を実施するための形態】
【０００８】
本考案の技術内容、構造特徴、達成する目的を詳細に説明するため、以下に実施例を挙げ並びに図面を組み合わせて説明する。
【０００９】
図１に示される、本考案クーラーの循環洗浄装置１０は、洗浄装置２０中に、気動モーター２４を設置する。
【００１０】
気動モーター２４前端は、パイプラインにより、潤滑器２３、スイッチ２２、圧力調整バルブ２１を連接する。圧力調整バルブ２１は、パイプラインにより、空圧機４１に連接し、圧力調整バルブ２１により、空圧機４１から気動モーター２４へ向かう流速を調整し、これにより気動モーター２４の回転速度を制御する。空圧機４１が高圧の気流を出力すると、圧力調整バルブ２１は気流の圧力を調整し、それはスイッチ２２を経て、潤滑器２３へと流れ、気動モーター２４の回転を連動する。
【００１１】
気流は、潤滑器２３を通過すると同時に、潤滑器２３内の潤滑剤を、気動モーター２４内に送り込み、気動モーター２４に対する潤滑効果を達成する。この時、ポンプ２５は、気動モーター２４に連動され、保存バケツ２７内の液体洗浄薬剤を排出する。保存バケツ２７内の液体洗浄薬剤が流出する時には、フィルター２６を通過し、クーラーの循環洗浄装置１０内に流入しないよう雑物はろ過される。さらに、逆流防止バルブ２８とスイッチ２９を経て、クーラーの循環洗浄装置１０の任意の連接パイプライン上へと流れる。
【００１２】
上記した連接方式により、クーラーの循環洗浄装置１０に対してシステム全体、或いは局部の少なくとも１個の構成部材に対して洗浄を行うことができる。潤滑器２３前のパイプラインは、別のパイプライン上に装置する速度調整バルブ３８、逆流防止バルブ３９に通じる。さらに、スイッチ２９前のパイプラインに通じ、速度調整バルブ３８を利用し、気圧と流速を制御する。逆流防止バルブ２８から流入した液体洗浄薬剤に対して気泡を加える。逆流防止バルブ２８、３９は、液体洗浄薬剤、気体の逆流を防止可能で、気泡が加わった液体洗浄薬剤は、クーラーの循環洗浄装置１０内において流動し、別のパイプラインからスイッチ３０ろ過器３１、３２を経て保存バケツ２７へと回流する。こうして、液体洗浄薬剤を循環させて使用することができる。
【００１３】
洗浄完了後、スイッチ２２をオフにし、気動モーター２４の運転を停止する。空圧機４１は、別のパイプラインから、スイッチ３４及び圧力メーター３３を経て、スイッチ２９前に通じる。
これにより、気流循環ラインは、クーラーの循環洗浄装置１０内洗浄の圧縮機１１、散熱器１２、冷媒保存器１３、蒸発器１４に残留している液体洗浄薬剤雑物を吹いて出し、スイッチ３０、ろ過器３１、３２、或いはスイッチ３７を経由して、保存バケツ２７、或いは回収バケツ３５に流入させる。
【００１４】
保存バケツ２７内の液体洗浄薬剤の量が多過ぎ、あふれ出した時には、スイッチ３７をオンにし、液体洗浄薬剤を回収バケツ３５へと流すことができ、これにより、保存バケツ２７内の液体洗浄薬剤を一定の標準量内に保持することができる。
【００１５】
本考案第二実施例の模式図である図２に示すように、本考案第二実施例のクーラーの循環洗浄装置は、モーターを電動モーター４０とする。これにより、気動モーター駆動のパイプライン設計を省くことができ、液体洗浄薬剤に加わった気泡は、代わって、空圧機４１により洗浄され乾燥されるパイプラインとなる。しかも、速度調整バルブ３８を、スイッチ３４前端に装置し、気泡の大きさを調整することができる。
【００１６】
別に、クーラーの循環洗浄装置１０は、洗浄前後に、漏れ防止検査を行うことができる。先ず、スイッチ３０をオフにし、スイッチ３４、２９をオンにし、空圧機４１の気圧をクーラーの循環洗浄装置１０内に流入させる。圧力メーター３３が、圧力低下発生などの圧力を表示すると、それはクーラーの循環洗浄装置１０に漏れがあるということである。この時には、洗浄装置２０とクーラーの循環洗浄装置１０との連接位置を改変し、これによりクーラーの循環洗浄装置１０内のどの部分、或いはどの構成部材に漏れが発生しているかを検査し、或いはパーツを交換することができる。
【００１７】
上記したように、本考案は実際の実施時に以下の長所を備える。
１．一台で多用途を備えるため、使用時には違った機種に交換する必要がなく、使用において便利である。
２．クーラーの循環洗浄装置の洗浄後、残留している液体洗浄薬剤を簡単に排出できるため、機器を交換して掃除を行う必要がない。
３．クーラーの循環洗浄装置に漏れがないかどうかを直接検査することができる。
【００１８】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００１９】
１０  クーラーの循環洗浄装置
１１  圧縮機
１２  散熱器
１３  冷媒保存器
１４  蒸発器
２０  洗浄装置
２１  圧力調整バルブ
２２  スイッチ
２３  潤滑器
２４  気動モーター
２５  ポンプ
２６  フィルター
２７  保存バケツ
２８  逆流防止バルブ
２９  スイッチ
３０  スイッチ
３１、３２  ろ過器
３３  圧力メーター
３４  スイッチ
３５  回収バケツ
３６  スイッチ
３７  スイッチ
３８  速度調整バルブ
３９  逆流防止バルブ
４０  電動モーター
４１  空圧機
【図１】
0003170905.tif 000003
【図２】
0003170905.tif 000004